(57)【要約】【課題】高精度で且つ安定してＩ，Ｑ信号のインバランスを補正する。【解決手段】  本実施の形態のＩＱ補正装置は、第１の期間に無変調又はＢＰＳＫ変調され第２の期間にそれ以外の変調方式によって変調された信号であって所定のシンボル数で構成されたフレーム構造の信号から得たベースバンドのＩ，Ｑ信号が入力され、入力された前記Ｉ，Ｑ信号の振幅を検出して、前記Ｉ信号とＱ信号とのゲインずれを検出する誤差検出部と、前記誤差検出部によって検出される前記ゲインずれを小さくするように、前記Ｉ信号及びＱ信号の振幅を補正するゲイン補正部と、前記第１の期間を検出し、前記第１の期間には、前記誤差検出部によるゲインずれの検出を停止させる制御部とを具備する。【選択図】図１
2013201668.tif 000002
【特許請求の範囲】
【請求項１】
第１の期間に無変調又はＢＰＳＫ変調され第２の期間にそれ以外の変調方式によって変調された信号であって所定のシンボル数で構成されたフレーム構造の信号から得たベースバンドのＩ，Ｑ信号が入力され、入力された前記Ｉ，Ｑ信号の振幅を検出して、前記Ｉ信号とＱ信号とのゲインずれを検出する誤差検出部と、
前記誤差検出部によって検出される前記ゲインずれを小さくするように、前記Ｉ信号及びＱ信号の振幅を補正するゲイン補正部と、
前記第１の期間を検出し、前記第１の期間には、前記誤差検出部によるゲインずれの検出を停止させる制御部と
を具備するＩＱ補正装置。
【請求項２】
入力された前記Ｉ，Ｑ信号を位相回転させた後前記誤差検出部に与える位相回転処理部
を具備する請求項１に記載のＩＱ補正装置。
【請求項３】
第１の期間に無変調又はＢＰＳＫ変調され第２の期間にそれ以外の変調方式によって変調された信号であって所定のシンボル数で構成されたフレーム構造の信号から得たベースバンドのＩ，Ｑ信号が入力され、入力された前記Ｉ，Ｑ信号の振幅を検出して、前記Ｉ信号とＱ信号とのゲインずれを検出する第１の誤差検出部と、前記第１の誤差検出部によって検出される前記ゲインずれを小さくするように、前記Ｉ信号及びＱ信号の振幅を補正する第１のゲイン補正部と、を有するゲインずれ補正部と、
入力された前記Ｉ，Ｑ信号を位相回転させる位相回転処理部と、前記位相回転処理部からの前記Ｉ，Ｑ信号の振幅を検出して、前記Ｉ信号とＱ信号とのゲインずれを検出する第２の誤差検出部と、前記第２の誤差検出部によって検出される前記ゲインずれを小さくするように、前記位相回転処理部からの前記Ｉ信号及びＱ信号の振幅を補正する第２のゲイン補正部と、を有する直交軸ずれ補正部と、
前記第１の期間を検出し、前記第１の期間には、前記第１及び第２の誤差検出部によるゲインずれの検出を停止させる制御部と
を具備するＩＱ補正装置。
【請求項４】
前記入力されたＩ，Ｑ信号のＤＣオフセットを補正するＤＣオフセット補正部
を具備する請求項１乃至３に記載のＩＱ補正装置。
【請求項５】
前記制御部は、前記Ｉ，Ｑ信号から遅延プロファイルを検出し、検出した遅延プロファイルに基づいて、希望波及び妨害波の両方の前記第１の期間において、前記誤差検出部によるゲインずれの検出を停止させる
請求項１乃至４のいずれか１つに記載のＩＱ補正装置。
【発明の詳細な説明】
【技術分野】
【０００１】
本発明は、ＩＱ補正装置に関する。
【背景技術】
【０００２】
放送及び通信分野においては、フレーム等の一定長のブロック単位でデータ伝送が行われる。受信装置は、伝送データ中にフレーム単位で格納されているフレーム同期信号等の識別子を検出し、これによりフレーム同期を確立して、フレーム単位での復調処理を行っている。
【０００３】
例えば、中国（中華人民共和国）地上デジタル放送規格のＤＴＭＢ（Digital Terrestrial Multimedia Broadcast）においては、フレームは、フレームボディ（以下、ＦＢともいう）とフレームヘッダー（以下、ＦＨともいう）とによって構成されている。フレームボディには、変調されたソースストリームデータとシステム情報とが組み合わさった３７８０個のシンボルが格納されている。また、フレームヘッダーには、フレームを識別するための既知の擬似ランダムノイズ系列（以下、ＰＮ系列という）が格納されている。
【０００４】
ところで、ＤＴＭＢ規格の信号を受信する受信装置としては、ベースバンドの複素信号（Ｉ信号及びＱ信号）をデジタル処理によって得る装置とチューナによるアナログ処理によって得る装置とがある。チューナのアナログ処理によってベースバンドの複素信号を得る装置においては、チューナの部品バラツキ等の理由から、Ｉ，Ｑ信号にゲインずれ、直交軸ずれ及びＤＣオフセットが生じることがある。このようなＩ，Ｑ信号に対して復調処理を行うと、ゲインずれ、直交軸ずれ及びＤＣオフセットの影響によって、復調信号の劣化が著しい。
【０００５】
一般的には、入力されたＩ，Ｑ信号のゲインずれ、直交軸ずれ及びＤＣオフセットを補正するために、受信装置にはＩＱ補正装置が設けられている。ＩＱ補正装置は、例えば入力されたＩ，Ｑ信号をデジタル信号に変換するＡ／Ｄ変換器と、キャリア再生を行うキャリア再生回路との間に配置されて、Ｉ，Ｑ信号の補正を行う。
【０００６】
しかしながら、ＤＴＭＢにおいては、フレームヘッダーのＰＮ系列がＢＰＳＫ変調されており、ＩＱ平面においてキャリア周波数ずれが小さいときに、Ｉ，Ｑ信号のゲインずれを正しく検出することができない。フレームヘッダーのＩ，Ｑ信号に対するゲインずれの検出結果は、フレームボディのゲインずれの検出に悪影響を及ぼし、結果的に受信性能が著しく劣化してしまうことがあるという問題があった。
【先行技術文献】
【特許文献】
【０００７】
【特許文献１】特開２００３−８６７４号公報
【発明の概要】
【発明が解決しようとする課題】
【０００８】
本発明は、高精度で且つ安定してＩ，Ｑ信号のインバランスを補正することができるＩＱ補正装置を提供することを目的とする。
【課題を解決するための手段】
【０００９】
本発明の実施形態に係るＩＱ補正装置は、第１の期間に無変調又はＢＰＳＫ変調され第２の期間にそれ以外の変調方式によって変調された信号であって所定のシンボル数で構成されたフレーム構造の信号から得たベースバンドのＩ，Ｑ信号が入力され、入力された前記Ｉ，Ｑ信号の振幅を検出して、前記Ｉ信号とＱ信号とのゲインずれを検出する誤差検出部と、前記誤差検出部によって検出される前記ゲインずれを小さくするように、前記Ｉ信号及びＱ信号の振幅を補正するゲイン補正部と、前記第１の期間を検出し、前記第１の期間には、前記誤差検出部によるゲインずれの検出を停止させる制御部とを具備する。
【図面の簡単な説明】
【００１０】
【図１】本発明の一実施の形態に係るＩＱ補正装置を示すブロック図。
【図２】ＤＴＭＢのフレームの構成を示す説明図。
【図３】ＤＴＭＢのフレームヘッダーを生成するＬＦＳＲの具体的な回路構成を示す回路図。
【図４】横軸にシンボル番号をとり縦軸に相関値をとってパターンマッチングの相関結果を示すグラフ。
【図５】図１中のＩＱ補正部２１の具体的な構成の一例を示すブロック図。
【図６】図５中のゲインずれ補正部３１の具体的な構成の一例を示すブロック図。
【図７】図５中の直交軸ずれ補正部４１の具体的な構成の一例を示すブロック図。
【図８】実施の形態の動作を説明するためのタイミングチャート。
【発明を実施するための形態】
【００１１】
以下、図面を参照して本発明の実施の形態について詳細に説明する。図１は本発明の一実施の形態に係るＩＱ補正装置を示すブロック図である。本実施の形態はＤＴＭＢ受信装置に適用した例を示している。
【００１２】
先ず、図２を参照してＤＴＭＢの放送信号について説明する。図２はＤＴＭＢのフレームの構成を示し、図２（ａ）乃至（ｃ）は夫々ＦＨモード１〜ＦＨモード３を示している。
【００１３】
ＤＴＭＢは、ＦＨモード１〜ＦＨモード３の３つのモードを有しており、ＦＨモード１，ＦＨモード３は、フレームヘッダーのＰＮ系列が毎フレーム同一パターンではなく、フレーム単位で変化するパターンを有する。従って、これらのＦＨモード１，ＦＨモード３において、フレームヘッダーのＰＮ系列をパイロット信号として利用するためには、フレーム単位でフレームヘッダーのＰＮ系列を推定する必要がある。
【００１４】
図２に示すように、ＤＴＭＢの各フレームは、フレームヘッダー（ＦＨ）とフレームボディ（ＦＢ）によって構成される。フレームボディはいずれのモードにおいても、３７８０シンボル長に構成される。フレームヘッダーのシンボル長はモード毎に異なり、ＦＨモード１では４２０シンボル長、ＦＨモード２では５９５シンボル長、ＦＨモード３では９４５シンボル長である。
【００１５】
フレームヘッダーのＰＮ系列は、ＬＦＳＲ（線形帰還シフトレジスタ）によって生成される。ＬＦＳＲは、周期性を有する既知のＰＮ系列を生成することができ、生成多項式で定義された生成系列ＰＮ２５５を循環拡張することで、既知のフレームヘッダーを得ている。フレームヘッダーが既知のＰＮ系列であることから、フレームヘッダーは、フレーム同期の検出に用いられるだけでなく、パイロット信号としても用いられて、伝送路応答推定等の復調処理に利用可能である。
【００１６】
図３はＤＴＭＢのフレームヘッダーを生成するＬＦＳＲの具体的な回路構成を示す回路図である。ＬＦＳＲは、ＬＦＳＲに設定する初期値の相違によって、ＦＨモード１では２５５種類、ＦＨモード３では５１１種類のＰＮ系列を生成することができる。ＦＨモード１，ＦＨモード３においては、フレームヘッダーに採用されるＰＮ系列パターンは、ＬＦＳＲによって発生可能な２５５種類あるいは５１１種類のＰＮ系列のうちの一部のＰＮ系列である。ＦＨモード１，ＦＨモード３では、各フレームヘッダーのＰＮ系列は、ＬＦＳＲの初期値に夫々対応し、各フレームに割り当てられたフレーム番号とＬＦＳＲの初期値との対応は、規格書において規定されている。
【００１７】
ＤＴＭＢでは、モードに応じた所定個数のフレームによって１スーパーフレームが定義される。１スーパーフレームの時間長は１２５ｍｓに固定されており、ＧＰＳ等の時間照合が必要なシステムでの利用が想定されている。フレーム番号を推定することによって、スーパーフレーム同期の確立が可能である。
【００１８】
図３（ａ）はＦＨモード１のフレームヘッダーを生成するＬＦＳＲの構成を示し、図３（ｂ）はＦＨモード３のフレームヘッダーを生成するＬＦＳＲの構成を示している。図３（ａ）に示すＬＦＳＲは、縦続接続された８個の遅延器Ｄ１〜Ｄ８及び３個の加算器によって構成されている。図３（ａ）のＬＦＳＲは、各遅延器Ｄ１〜Ｄ８に所定の初期値が与えられると、ＦＨモード１の所定のフレームのフレームヘッダーのＰＮ系列を生成することができる。同様に、図３（ｂ）に示すＬＦＳＲは、縦続接続された９個の遅延器Ｄ１〜Ｄ９及び３個の加算器によって構成されている。図３（ｂ）のＬＦＳＲは、各遅延器Ｄ１〜Ｄ９に所定の初期値が与えられると、ＦＨモード３の所定のフレームのフレームヘッダーのＰＮ系列を生成することができる。
【００１９】
図１のＩＱ補正装置１０の入力端子１１，１２に夫々入力される同相成分（Ｉ信号）と直交成分（Ｑ信号）は、ＦＨモード１又はＦＨモード３のＤＴＭＢ放送信号から得られたものである。例えば、Ｉ，Ｑ信号は、チューナ（図示せず）がアンテナに誘起した放送信号から所望のチャンネルを選局してベースバンドの複素信号であるＩ，Ｑ信号に変換することで得られる。
【００２０】
このＩ，Ｑ信号は、Ａ／Ｄ変換器１３に供給される。Ａ／Ｄ変換器１３は、入力されたＩ，Ｑ信号を、デジタル信号に変換する。Ａ／Ｄ変換器１３は、Ｉ，Ｑ信号をデジタル化した後、ＩＱ補正部２１に与える。
【００２１】
ＩＱ補正部２１は、後述するように、入力されたＩ，Ｑ信号の、ＤＣオフセット、ＩＱゲインずれ及び直交軸ずれを補正した後、キャリア再生部１５に出力する。キャリア再生部１５は、入力されたＩ，Ｑ信号に基づいて再生キャリアを生成する。キャリア再生されたＩ，Ｑ信号は復調部１６に供給される。復調部１６は、入力されたＩ，Ｑ信号の復調処理を行って、復調データ出力を出力端子１９から出力する。
【００２２】
また、キャリア再生部１５の出力はフレームヘッダー（ＦＨ）検出部１７にも供給される。ＦＨ検出部１７は、受信信号のフレームヘッダーに含まれるＰＮ系列の一部又は全部と同じパターン（以下、同期系列という）を発生する図示しないパターン発生部を有しており、受信信号の各シンボルが順次入力されて、所定シンボル長の受信信号と同期系列とのパターンマッチングを行う。ＦＨ検出部１７は、パターンマッチング結果によって、フレームヘッダーのタイミングを検出する。
【００２３】
なお、ＦＨ検出部１７におけるパターンマッチング処理としては、種々の方法を採用することができ、例えばスライディング相関やマッチングフィルタ処理等が考えられる。例えば、ＦＨ検出部１７はインパルス形状の相関性を示す相関波形を得ることができる。
【００２４】
図４は横軸に時間をとり縦軸に相関値をとってパターンマッチングの相関結果を示すグラフである。図４に示すように、ＦＨ検出部１７は所定の期間毎に、極めて相関値が高い相関結果を得る。極めて高い相関値は、受信信号に含まれるＰＮ系列の一部又は全部と同期系列との一致が検出されたタイミングにおいて得られる。こうして、ＦＨ検出部１７において、フレームタイミングを生成することができる。
【００２５】
更に、ＦＨ検出部１７のパターンマッチング結果は、制御部としての遅延プロファイル検出部１８に供給される。一般にマルチパス伝送路で発生する歪み成分は、インパルスを入力信号としたときのフィルタ応答として表すことができ、この伝送路応答を精度良く推定することが、受信機の等化処理の精度向上につながる。この伝送路応答は一般的に遅延プロファイルと呼ばれている。
【００２６】
マルチパス環境下では、受信信号は主信号（主波）とマルチパスによる遅延信号（遅延波）との合成波となる。伝送路応答は、主波のフレームヘッダーのタイミングで最大のピークとなり、遅延信号のフレームヘッダーのタイミングで小さいピークとなる相関波形となる。相関波形中のピーク位置は、主波及び遅延波のパスに対応したものとなる。遅延プロファイル検出部１８は、例えば、ＦＨ検出部１７からの相関波形に対して一定の閾値を設定し、相関波形の中から閾値に満たないピーク部分はノイズとして削除し、閾値を超えるピーク部分のみを主波及び遅延波に相当する有効パスと見なして選択して遅延プロファイル情報を得る。
【００２７】
遅延プロファイル検出部１８は、検出した遅延プロファイル情報に基づいてフレームヘッダー期間を示すマスク制御信号を生成して、ＩＱ補正部２１に出力する。なお、マスク制御信号は、フレームヘッダー期間だけでなく、例えば所定のＤ／Ｕ以上のマルチパス妨害が含まれる期間をマスク期間として示す信号である。
【００２８】
図５は図１中のＩＱ補正部２１の具体的な構成の一例を示すブロック図である。
【００２９】
Ａ／Ｄ変換器１３からのＩ，Ｑ信号は、端子２２，２３を介して夫々ＩＱ補正部２１のＤＣオフセット補正部２５，２６に供給される。ＤＣオフセット補正部２５，２６は、夫々入力された信号を十分に平滑化することによりＤＣ成分を検出し、ＤＣ成分が０になるように、ＤＣオフセット補正信号を生成して入力されたＩ，Ｑ信号から減算する。こうして、ＤＣオフセット補正部２５，２６は、夫々Ｉ，Ｑ信号からＤＣオフセットを除去する。ＤＣオフセット補正部２５，２６からのＩ，Ｑ信号はゲインずれ補正部３１に出力される。
【００３０】
ＤＣオフセットの補正は、Ｉ信号又はＱ信号のＤＣオフセットを個別に検出して、個別に補正することで行われる。従って、入力Ｉ，Ｑ信号がＢＰＳＫ変調されたものであって、正確な補正が可能である。
【００３１】
ゲインずれ補正部３１は、入力されたＩ，Ｑ信号のゲインずれを補正して直交軸ずれ補正部４１に出力する。直交軸ずれ補正部４１は、入力されたＩ，Ｑ信号の直交軸のずれを補正して、出力端子２７，２８に夫々Ｉ信号補正出力又はＱ信号補正出力として出力する。このＩ，Ｑ信号補正出力がキャリア再生部１５に供給されるようになっている。
【００３２】
図６は図５中のゲインずれ補正部３１の具体的な構成の一例を示すブロック図である。
【００３３】
ＤＣオフセット補正部２５，２６からのＩ，Ｑ信号は、夫々端子３２，３３を介してゲインずれ補正部３１のゲイン補正処理部３４に供給される。ゲイン補正処理部３４は、入力されたＩ，Ｑ信号に夫々平滑化部３５からのゲイン補正信号を乗算して、Ｉ，Ｑ信号のゲインを補正した後出力端子３７，３８に夫々出力する。
【００３４】
また、ゲイン補正処理部３４の出力は誤差検出部３６にも供給される。誤差検出部３６は、マスク制御信号も供給されており、マスク制御信号によってマスク期間以外の期間が示されている場合には、Ｉ信号とＱ信号の振幅比較を行って誤差信号を平滑化部３５に出力する。なお、誤差検出部３６は、マスク制御信号によってマスク期間が示されている場合には、誤差信号として０を平滑化部３５に出力する。
【００３５】
平滑化部３５は、入力された誤差信号を平滑化して、Ｉ信号用及びＱ信号用のゲイン補正信号を生成してゲイン補正処理部３４に出力する。ゲイン補正信号は、誤差検出部３６の誤差検出結果を０とするように作用する。
【００３６】
ゲイン補正処理部３４に入力されるＩ，Ｑ信号がＢＰＳＫ変調されている場合には、誤差検出部３６の誤差検出結果は、Ｉ，Ｑ信号のゲインずれを正確に検出したものとはならない。仮に、誤差検出部３６が、全期間における誤差検出結果を平滑化部３５に出力すると、平滑化部３５の処理によって、ＢＰＳＫ変調を採用したフレームヘッダー期間だけでなく、フレームボディ期間におけるゲイン補正信号もゲインずれを正しく補正するための値とはならない。
【００３７】
しかし、本実施の形態においては、誤差検出部３６は、マスク制御信号によって示されるマスク期間には、誤差検出を停止しており、フレームボディ期間に検出された正常な誤差検出結果を用いて、ゲインずれの補正が行われることになる。このようにマスク制御信号により誤差検出する期間を制御することにより、ＢＰＳＫ変調に起因する性能劣化を防ぐことができる。
【００３８】
図７は図５中の直交軸ずれ補正部４１の具体的な構成の一例を示すブロック図である。
【００３９】
ゲインずれ補正部３１からのＩ，Ｑ信号は、夫々端子４２，４３を介して直交軸ずれ補正部４１の位相回転処理部４４に供給される。位相回転処理部４４は、入力されたＩ，Ｑ信号を４５度位相回転させた後、ゲインずれ補正部４５に出力する。
【００４０】
ゲインずれ補正部４５は、図６のゲインずれ補正部３１と同様の構成であり、位相回転処理部４４の出力のＩ，Ｑ信号のゲインずれを補正する。ＢＰＳＫ変調されたＩ，Ｑ信号に直交軸ずれが生じている場合には、コンスタレーション上の信号点の軌跡は４５度傾斜した楕円形となる。従って、Ｉ，Ｑ信号を４５度位相回転させた後、Ｉ，Ｑ信号のゲイン補正を行うことで、直交軸のずれを補正することができる。ゲインずれ補正部４５は、直交軸のずれを補正したＩ信号補正出力及びＱ信号補正出力を夫々出力端子４６，４７に出力する。
【００４１】
ゲインずれ補正部４５は、ゲインずれ補正部３１と同様に、出力するＩ，Ｑ信号の誤差を検出し、検出した誤差を平滑化して、Ｉ，Ｑ信号のゲインを補正するゲイン補正信号を生成する。従って、ゲインずれ補正部４５においても、マスク制御信号によって示されるマスク期間に、誤差検出を停止することで、フレームボディ期間に検出された正常な誤差検出結果を用いてゲインずれの補正を行うことができる。このようにマスク制御信号により直交軸ずれ補正のための誤差検出期間を制御することにより、ＢＰＳＫ変調に起因する性能劣化を防ぐことができる。
【００４２】
次に、このように構成された実施の形態の動作について図８のタイミングチャートを参照して説明する。
【００４３】
入力端子１１，１２を介して入力されたＩ，Ｑ信号は、Ａ／Ｄ変換器１３によってデジタル信号に変換された後、ＩＱ補正部２１に供給される。ＩＱ補正部２１は、入力されたＩ，Ｑ信号の、ＤＣオフセット、ＩＱゲインずれ及び直交軸ずれを補正した後、キャリア再生部１５に出力する。キャリア再生部１５は再生キャリアを生成する。キャリア再生されたＩ，Ｑ信号は復調部１６によって復調されて、復調データ出力が得られる。
【００４４】
一方、キャリア再生部１５の出力はＦＨ検出部１７にも供給され、受信信号と同期系列とのパターンマッチングによって、フレームヘッダーのタイミングが検出される。ＦＨ検出部１７の相関結果は、遅延プロファイル検出部１８に与えられて、遅延プロファイル情報が求められる。本実施の形態においては、遅延プロファイル検出部１８は、検出した遅延プロファイル情報に基づいて、受信号及びマルチパス妨害波のフレームヘッダー期間を示すマスク信号を生成する。
【００４５】
図８（１ａ），（１ｂ）は、マルチパス妨害がない場合におけるマスク制御信号を示し、図８（２ａ）〜（２ｃ）は、マルチパス妨害が存在する場合のマスク制御信号を示している。図８（１ａ），（１ｂ）に示すように、マルチパス妨害が存在しない場合には、遅延プロファイル検出部１８は、フレームヘッダー期間と同一期間をマスク期間とし、このマスク期間を示すマスク制御信号をＩＱ補正部２１に出力する。
【００４６】
また、図８（２ａ）〜（２ｃ）に示すように、マルチパス妨害が存在する場合には、遅延プロファイル検出部１８は、受信信号のフレームヘッダー期間及びマルチパス妨害波のフレームヘッダー期間を含む期間をマスク期間とし、このマスク期間を示すマスク制御信号をＩＱ補正部２１に出力する。
【００４７】
ＩＱ補正部２１のＤＣオフセット補正部２５，２６は、Ａ／Ｄ変換器１３からのＩ，Ｑ信号のＤＣオフセットを夫々補正する。ＤＣオフセットが補正されたＩ，Ｑ信号は、ＩＱゲインずれ補正部３１に供給される。
【００４８】
ＩＱゲインずれ補正部３１のゲイン補正処理部３４は、受信されたＩ，Ｑ信号の夫々にＩ信号用又はＱ信号用のゲイン補正信号を乗算してゲイン補正を行う。ゲイン補正処理部３４の出力は誤差検出部３６に供給され、誤差検出部３６は、マスク制御信号がマスク期間を示す場合にのみ、Ｉ，Ｑ信号の振幅比較を行って誤差信号を平滑化部３５に出力する。平滑化部３５は、誤差信号を平滑化ししてゲイン補正信号を得る。
【００４９】
誤差検出部３６は、Ｉ，Ｑ信号の誤差を正確に検出できるフレームボディ期間にのみ誤差検出を行うことから、フレームヘッダー期間の誤差の誤検出によって、フレームボディ期間のゲイン補正信号が悪影響を受けることはない。
【００５０】
ゲインずれ補正部３１からのＩ，Ｑ信号は、直交軸ずれ検出部４１に供給される。直交軸ずれ検出部４１の位相回転処理部４４は、入力されたＩ，Ｑ信号を４５度位相回転した後、ゲインずれ補正部４５に出力する。ゲインずれ補正部４５は、ゲインずれ補正３１と同様の構成であり、マスク制御信号がマスク期間を示す場合にのみ、Ｉ，Ｑ信号のゲインずれを補正することで、直交軸ずれを補正する。
【００５１】
直交軸ずれ補正部４１は、Ｉ，Ｑ信号の誤差を正確に検出できるフレームボディ期間にのみ誤差検出を行って直交軸のずれを補正することから、フレームヘッダー期間の誤差の誤検出によって、フレームボディ期間の直交軸のずれ補正が悪影響を受けることはない。
【００５２】
このように本実施の形態においては、Ｉ，Ｑ信号のゲインずれ補正及び直交軸ずれ補正に際して行われるＩ，Ｑ信号の誤差検出は、マルチパス妨害波のフレームヘッダー期間を含むフレームヘッダー期間において停止されることから、ＢＰＳＫ変調されたＩ，Ｑ信号の誤差の誤検出に基づいて、フレームボディ期間におけるＩ，Ｑ信号のゲインずれ及び直交軸ずれの補正が不良となることを防止することができる。これにより、ＢＰＳＫ変調された受信信号のＩＱインバランスの補正を高精度に且つ安定的に行うことが可能となる。
【００５３】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５４】
１３…Ａ／Ｄ変換器、１７…ＦＨ検出部、１８…遅延プロファイル検出部、２１…ＩＱ補正部、２５，２６…ＤＣオフセット補正部、３１…ゲインずれ補正部、４１…直交軸ずれ補正部。
【図１】
2013201668.tif 000003
【図２】
2013201668.tif 000004
【図３】
2013201668.tif 000005
【図４】
2013201668.tif 000006
【図５】
2013201668.tif 000007
【図６】
2013201668.tif 000008
【図７】
2013201668.tif 000009
【図８】
2013201668.tif 000010